(57)【要約】      （修正有）【課題】簡単に組立てられ，かつ飾り付けにも利用できて無駄の少ない簡易な包装を提供する。【解決手段】包装材１２Ａは中央パネル２０と２つの腕パネル３０Ａ，３０Ｂとからなる。中央パネル２０は正方形の底部２０Ａと第１縁部２１Ａ，２１Ｂおよび第２縁部２２Ａ，２２Ｂとを有する。腕パネル３０Ａ，３０Ｂは第２縁部２２Ａ，２２Ｂから連続的に延び，その先端部にそれぞれ結合部３２Ａ，３２Ｂを有する。第１縁部２１Ａ，２１Ｂを上側に折り返して側壁部を形成し，第２縁部２２Ａ，２２Ｂを腕パネル３０Ａ，３０Ｂとともに立上げ，かつ腕パネル３０Ａ，３０Ｂの結合部３２Ａ，３２Ｂを結合させることにより抱持腕を形成する。中央パネル２０にはその４辺に沿って四方紅の赤い枠２３が表わされている。【選択図】図２
2013154931.tif 000002
【特許請求の範囲】
【請求項１】
中央パネルと，この中央パネルを中央にして互いに反対方向に延びる２つの腕パネルとが１枚の紙材で一体的に形成され，
上記中央パネルは四角形状に区画される底部を有し，この底部の周囲に，対向する２つの第１縁部およびこれらの第１縁部に隣接する２つの第２縁部の４つの縁部が連続的に形成され，
上記腕パネルは上記第２縁部から連続的に延び，その先端部にそれぞれ結合部を有しており，
２つの上記第１縁部が上側に折り返されて２つの側壁部が形成され，
２つの上記第２縁部が折り返された上記第１縁部の両端部とともに立上げられ，かつ２つの上記腕パネルの上記結合部が互いの方向に近づけられ，上記結合部が互いに結合されることにより抱持腕が形成され，
上記中央パネルは正方形でその４辺に沿って四方紅の赤い枠が表わされ，
上記結合部の幅は上記底部よりも狭い，
鏡餅の包装体。
【請求項２】
上記結合部に，互いに結合部の一部を挟み込む切込みが形成されている，請求項１に記載の鏡餅の包装体。
【請求項３】
上記結合部が一定の幅を持ち，中央で折り返されており，上記切込みが上記結合部の基部に形成され，さらに上記結合部の先端に，基部とともに上記切込みに挟み込まれる突片が設けられている，請求項２に記載の鏡餅の包装体。
【請求項４】
中央パネルと，この中央パネルを中央にして互いに反対方向に延びる２つの腕パネルとが１枚の紙材で一体的に形成され，
上記中央パネルは四角形状に区画される底部を有し，この底部の周囲に，対向する２つの第１縁部およびこれらの第１縁部に隣接する２つの第２縁部の４つの縁部が連続的に形成され，
上記腕パネルは上記第２縁部から連続的に延び，その先端部にそれぞれ結合部を有しており，
上記中央パネルは正方形でその４辺に沿って四方紅の赤い枠が表わされ，
上記結合部の幅は上記底部よりも狭い，
鏡餅用包装材。
【請求項５】
請求項４に記載の鏡餅用包装材を用い，
まず，２つの上記第１縁部を上側に折り返して２つの側壁部を形成し，
そして，２つの上記第２縁部を，折り返された上記第１縁部の両端部とともに立上げ，かつ２つの上記腕パネルの結合部を互いの方向に近づけ，上記結合部を互いに結合させることにより抱持腕を形成する，
鏡餅の包装体の組立方法。
【請求項６】
上記抱持腕を形成する前に，上記中央パネルの上記底部に鏡餅を載置する，請求項５に記載の鏡餅の包装体の組立方法。
【請求項７】
中央パネルと，この中央パネルを中央にして互いに反対方向に延びる２つの腕パネルとが１枚の紙材で一体的に形成され，
上記中央パネルは四角形状に区画される底部を有し，この底部の周囲に，対向する２つの第１縁部およびこれらの第１縁部に隣接する２つの第２縁部の４つの縁部が連続的に形成され，
上記腕パネルは上記第２縁部から連続的に延び，その先端部にそれぞれ結合部を有しており，
上記中央パネルの上記底部には鏡餅が載置され，
２つの上記第１縁部が上側に折り返されて２つの側壁部が上記鏡餅の外側に形成され，
２つの上記第２縁部が折り返された上記第１縁部の両端部とともに立上げられ，かつ２つの上記腕パネルの結合部が互いの方向に近づけられ，上記結合部が互いに結合されることにより上記鏡餅の一部を覆う抱持腕が形成され，
上記中央パネルは正方形でその４辺に沿って四方紅の赤い枠が表わされ，
上記結合部の幅は上記底部よりも狭い，
鏡餅セット。
【請求項８】
請求項７に記載の鏡餅セットを用い，
２つの上記腕パネルの上記結合部の結合を外して上記腕パネルを開き，
上記側壁部を倒すとともに鏡餅を取出し，
上記腕パネルを上記中央パネルから切り離し，
上記中央パネルを，四方紅の赤い枠を上側にして飾り付け場所に置き，
上記中央パネルの上に鏡餅を載置する，
鏡餅の飾り付け方法。
【発明の詳細な説明】
【技術分野】
【０００１】
この発明は鏡餅の包装体，鏡餅用包装材，同包装材を用いた鏡餅の包装体の組立方法，鏡餅セットおよび同セットを用いた鏡餅の飾り付け方法に関する。
【背景技術】
【０００２】
近年，鏡餅は合成樹脂により鏡餅形に形成した合成樹脂製鏡餅形パックという形態で流通，販売されている。この鏡餅形パック内には，餅を充填する場合や，合成樹脂シートで包装した切餅または丸形餅を複数個収納する場合がある。菓子を鏡餅形パック内に入れることもある。
【０００３】
いずれにしてもこのような合成樹脂製鏡餅形パックは，簡易な飾台に載置した形態で，または厚紙製の三方（供え台）に載せ，必要な飾りを施した鏡餅セットとして販売されるが，この場合，各形態に応じて，飾台，供え台，その他の飾りとともに，厚紙製の包装箱に収納される。
【０００４】
たとえば，特許文献１，２，３，４には，鏡餅とともに飾台，供え台，その他の飾りを包装箱に収納する工夫が記載されている。
【先行技術文献】
【特許文献】
【０００５】
【特許文献１】特開２００１−２７８２５６
【特許文献２】特開２００５−８１６８
【特許文献３】特開２００６−２７６８６
【特許文献４】実用新案登録第３１２１１６３号
【０００６】
このように，鏡餅を包装箱に収納して販売する形態では，まず包装箱が嵩張る，包装箱自体が廃棄物となり無駄であるという問題がある。包装箱の多くはその組立てに糊付けが必要で組立工数が増えるという問題もある。
【発明の開示】
【０００７】
この発明は，簡易な包装を目ざし，かつ鏡餅の飾り付けも可能となるようにするものである。
【０００８】
この発明はまた，鏡餅の包装において，できるだけ無駄をなくするようにするものである。
【０００９】
この発明はさらに，鏡餅の包装体を簡単に組立てられるようにするものである。
【００１０】
さらにこの発明は，鏡餅の包装体の糊付けを省くことができるようにするものである。
【００１１】
この発明による鏡餅の包装体においては，中央パネルと，この中央パネルを中央にして互いに反対方向に延びる２つの腕パネルとが１枚の紙材で一体的に形成されている。上記中央パネルは四角形状に区画される底部を有し，この底部の周囲に，対向する２つの第１縁部およびこれらの第１縁部に隣接する２つの第２縁部の４つの縁部が連続的に形成されている。上記腕パネルは上記第２縁部から連続的に延び，その先端部にそれぞれ結合部を有している。２つの上記第１縁部が上側に折り返されて２つの側壁部が形成され，２つの上記第２縁部が折り返された上記第１縁部の両端部（重ね折部）とともに立上げられ，かつ２つの上記腕パネルの上部結合部が互いの方向に近づけられ，上記結合部が互いに結合されることにより抱持腕が形成される。上記中央パネルは正方形でその４辺に沿って四方紅の赤い枠が表わされ，上記結合部の幅は上記底部よりも狭いものである。
【００１２】
上記底部の上に鏡餅を載置して包装体を上記のように組立てると鏡餅セットが得られる。
【００１３】
上記において紙材は厚紙でも薄紙でもよく，植物性繊維を材料とするもののみならず，合成繊維を材料の一部または全部とするもの，表面に合成樹脂膜をコーティング等したもの，合成樹脂によるシート等を含む。鏡餅は鏡餅パックを含む。
【００１４】
この発明による包装体では，上記底部上に載置された鏡餅の脱落を上記底部の２辺において第１縁部が側壁部となって防止し，上記底部の他の２辺においては上記抱持腕が両側から鏡餅を抱き込むように上方まで覆っている。このように，この発明によると，簡易な包装体が実現し，簡易包装の鏡餅セットが得られる。従来の包装箱のように嵩張ることがなく，全体的にコンパクトである。第１縁部はその両端部が第２縁部に重ねて折られているので，これにより形成される側壁部がその両端で強く拘束され，強固になっている。
【００１５】
包装体は中央パネルの第１縁部を折り曲げ，第２縁部を腕パネルとともに立上げて腕パネルの先端部の結合部を互いの方向に近づけて結合させるだけでよいから組立ても簡単である。包装体の上記第１縁部の上方は開いているので，内部の鏡餅が外からよく見え，かつ意匠的にも優れたものとなっている。
【００１６】
また，包装体を構成する中央パネルは四方紅として用いることができる。したがって，従来の包装箱に比べれば包装体そのものを構成する紙類の量がきわめて少ない上に，その一部を鏡餅飾りに利用できるのであるから，無駄が少ない。
【００１７】
一実施態様においては，上記結合部に，互いに結合部の一部を挟み込む切込みが形成されている。２つの結合部に切込みが入れられ，その切込みによって互いの結合部の一部を挟み込むようにしているから，糊等の接着剤を使用することなく包装体を組立てることができる。
【００１８】
さらに他の実施態様においては，上記結合部が一定の幅を持ち，中央で折り返されており，上記切込みが上記結合部の基部に形成され，さらに上記結合部の先端に，基部とともに上記切込みに挟み込まれる突片が設けられている。
【００１９】
結合部の先端に突片が形成され，結合部を二つ折りにして結合部の一部を上記突片とともに切込みによって挟持することができるので二つ折りにされた結合部を二つ折りにされた状態に保つことができる。
【００２０】
上記包装体を形成するためのこの発明による鏡餅用包装材は，中央パネルと，この中央パネルを中央にして互いに反対方向に延びる２つの腕パネルとが１枚の紙材で一体的に形成され，上記中央パネルは四角形状に区画される底部を有し，この底部の周囲に，対向する２つの第１縁部およびこれらの第１縁部に隣接する２つの第２縁部の４つの縁部が連続的に形成され，上記腕パネルは上記第２縁部から連続的に延び，その先端部にそれぞれ結合部を有しており，上記中央パネルは正方形でその４辺に沿って四方紅の赤い枠が表わされ，上記結合部の幅は上記底部よりも狭いものである。
【００２１】
この鏡餅用包装材を用いたこの発明による包装体の組立方法は，まず，２つの上記第１縁部を上側に折り返して２つの側壁部を形成し，そして，２つの上記第２縁部を，折り返された上記第１縁部の両端部とともに立上げ，かつ２つの上記腕パネルの結合部を互いの方向に近づけ，上記結合部を互いに結合させることにより抱持腕を形成するものである。
【００２２】
鏡餅セットを製造する場合には，上記抱持腕を形成する前に，上記中央パネルの上記底部に鏡餅を載置する。
【００２３】
鏡餅セットを用いたこの発明による鏡餅の飾り付け方法は，２つの上記腕パネルの上記結合部の結合を外して上記腕パネルを開き，上記側壁部を倒すとともに鏡餅を取出し，上記腕パネルを上記中央パネルから切り離し，上記中央パネルを，四方紅の赤い枠を上側にして飾り付け場所に置き，上記中央パネルの上に鏡餅を載置するものである。
【００２４】
このようにして，上記中央パネルを四方紅として利用することができる。
【図面の簡単な説明】
【００２５】
【図１】包装体により包装された鏡餅セットの全体を示す斜視図である。
【図２】包装材の外面の展開図である。
【図３】包装体または鏡餅セットを組立てる手順を示す斜視図である。
【図４】包装体もしくは鏡餅セットを組立てる手順，または鏡餅を飾り付ける手順を示す斜視図である。
【図５】包装体もしくは鏡餅セットを組立てる手順，または鏡餅を飾り付ける手順を示す斜視図である。
【図６】包装体もしくは鏡餅セットを組立てる手順，または鏡餅を飾り付ける手順を示す斜視図である。
【図７】図６のVII−VII線に沿う拡大断面図である。
【図８】鏡餅を飾り付ける手順を示す斜視図である。
【図９】鏡餅を飾り付ける手順を示す斜視図である。
【図１０】鏡餅を飾り付ける手順を示す斜視図である。
【図１１】他の鏡餅セット，または鏡餅を飾り付ける他の方法を示す斜視図である。
【実施例】
【００２６】
図１は鏡餅セットの全体を示すものである。
【００２７】
鏡餅セット10は，鏡餅パック（鏡餅）11と，鏡餅パック11を包む包装体12と，包装体12の全体に掛けられた輪ゴム13ａを有する水引飾り13とを備える。
【００２８】
鏡餅パック11は乳白色の合成樹脂製鏡餅形パックで，内部に餅が充填されたもの，複数個の切餅または丸形餅が収納されたもの，菓子が入れられたもの等がある。
【００２９】
包装体12は，鏡餅パック11を載置する正方形の底部20Ａと，底部20Ａの対向する２辺から折り返され，その中央部が内向き斜めに立っている脱落防止用の側壁部21Ａ，21Ｂ（符号21Ｂについては図４等を参照）と，底部20Ａの側壁部21Ａ，21Ｂに隣接する他の２辺から立上り，互いの方向に湾曲しながら鏡餅パック11をその両側から覆って鏡餅パック11の真上の位置で結合部32Ａ，32Ｂにより結合されている一対の抱持腕40Ａ，40Ｂとから構成されている。側壁部21Ａ，抱持腕40Ｂには赤く（図面では黒く）印刷された四方紅の枠23が描かれているが，これについては，包装体12の詳細とともに後述する。
【００３０】
図２は包装体12を形成するための包装材12Ａの展開図を示すものであり，包装材の外面（表面）を表わしている。包装材の内面は，組立て途上の図として図３に示されている。
【００３１】
これらの図を参照して，包装材12Ａは紙材（厚紙，薄紙）を打ち抜いた一枚のブランクからなり，正方形状の中央パネル20と，この中央パネル20を中央にしてこれから連続的に，互いに反対方向に延びる２つの腕パネル30Ａ，30Ｂとから構成されている。包装材12Ａから包装体12を組立てるときに谷折りとなる折り線を細い破線で，山折りになる折り線を細い一点鎖線で示す。これらの折り線は包装材12Ａに必ずしも描く必要はないが，好ましくは折り易いように折罫をつけておくか，軽く折っておく（ブランクの打抜き工程で行うとよい）。中央パネル20と腕パネル30Ａ，30Ｂとの境界には，切取り線24が太い破線で描かれている。切取り線24は包装材10Ａの内外面のいずれか一方，または両方に描いておけばよい。好ましくは２つの腕パネル30Ａと30Ｂは，後述する切込み37と突片36の位置を除き，中央パネル20に関して対称である（切込み37と突片36の位置は２つの腕パネル30Ａ，30Ｂにおいて，互いに反対側にある）。
【００３２】
正方形の中央パネル20の外面には４の辺に沿って赤い枠23が描かれている（印刷されている）。後述するように，中央パネル20は鏡餅の飾り付けのときに四方紅として用いることができる。赤い枠23は中央パネル20の内面に表わしてもよい。必要に応じて，腕パネル30Ａ，30Ｂには水引き，鶴等の絵や「迎春」等の文字のような装飾を施してもよいし，中央パネル20，腕パネル30Ａ，30Ｂのいずれかに商品表示が印刷されるのはいうまでもない。
【００３３】
中央パネル20は折り線で次のように区画されている。すなわち，中央パネル20の中央部は正方形状の底部20Ａである。この底部20Ａの周囲に，互いに対向する２つの第１縁部21Ａ，21Ｂおよびこれらの第１縁部21Ａ，21Ｂに隣接し，かつ互いに対向する２つの第２縁部22Ａ，22Ｂが底部20Ａから連続的に設けられている。この実施例では第１縁部21Ａ，21Ｂと第２縁部22Ａ，22Ｂの幅は等しいが，必ずしも等しくなくてもよい（この場合には，中央パネル20が正方形なら底部20Ａは長方形となろう）。第１縁部21Ａ，21Ｂと第２縁部22Ａ，22Ｂの両端部は共通部分（または重ね折部）（符号25で示す）である。
【００３４】
腕パネル30Ａ，30Ｂはそれぞれ腕部31Ａ，31Ｂと，結合部32Ａ，32Ｂとからなり，腕部31Ａ，31Ｂは第２縁部22Ａ，22Ｂから連続的に外方に延び，それらの先端に結合部32Ａ，32Ｂが一体的に設けられている。腕部31Ａ，31Ｂの幅は，第２縁部22Ａ，22Ｂに連なる箇所では，底部20Ａの幅に等しく，先端にいくにしたがいその両辺が湾曲しながら（外に向って凹状に）幅が狭くなっている。結合部32Ａ，32Ｂの幅は長さ方向の全体にわたって一定である。
【００３５】
腕部31Ａ，31Ｂと結合部32Ａ，32Ｂとの境界に切込み37が入れられている。切込み37は腕パネル30Ａ，30Ｂとではその中心線を挟んで反対の側辺から入れられ，幅方向にその中心まで形成されている。包装体の組立て時に切込み37に結合部を差込み易くするために，切込み37から結合部の側辺にかけて丸みがつけられている。結合部32Ａ，32Ｂの長さの中心位置に幅方向に折り線があり，この折り線によって２つの部分33，34（第１部分，第２部分）に区画されている。また，折り線と直交する方向に腕パネル30Ａ，30Ｂの中心線にそって長穴35が形成されている。結合部32Ａ，32Ｂの第２部分34の先端には，その幅の半分程度まで突片36が形成されている。これらの突片36の位置は，腕パネル30Ａ，30Ｂとではその中心線を挟んで反対側にある。腕パネル30Ａにおいて切込み37と突片36とは腕パネルの中心線を挟んで反対側にある。腕パネル30Ｂにおいても同様である。
【００３６】
次に，このような包装材12Ａを用いて鏡餅セット10（包装体12）を組立てる方法について述べる。
【００３７】
図３に示すように包装材12Ａ，鏡餅パック11および水引飾り13を用意する。
【００３８】
包装材12Ａをその内面を上にして平坦面に置く。包装材12Ａの底部20Ａ上に鏡餅パック11を載置する。鏡餅パック11を包装材12Ａの上に置く前に，中央パネル20の第１縁部21Ａ，21Ｂをその折り線に沿って軽く折り，折り目をつけておくとよい。鏡餅パック11を載置するのは，結合部32Ａ，32Ｂを結合させる前であればいつでもよい。
【００３９】
次に，図４に示すように，中央パネル20の第１縁部21Ａ，21Ｂを上側に折り返す。紙材には若干の弾性があるので，第１縁部21Ａ，21Ｂは斜めの姿勢に戻った状態に保たれる。この第１縁部21Ａ，21Ｂが包装体12の側壁部となる。
【００４０】
続いて，図５に示すように，第２縁部22Ａ，22Ｂを底部20Ａとの境界の折り線でほぼ直角に折り曲げ，第２縁部22Ａ，22Ｂと腕パネル30Ａ，30Ｂとをほぼ直角に起立させる。このとき，第１縁部21Ａ，21Ｂと第２縁部22Ａ，22Ｂとの共通部分25も第２縁部22Ａ，22Ｂとともに折り曲げる。したがってこの共通部分25は第２縁部22Ａ，22Ｂの内面に沿う。
【００４１】
また，腕パネル30Ａ，30Ｂの結合部32Ａ，32Ｂをその中央の折り線で折り返しておく。
【００４２】
この状態で，腕パネル30Ａ，30Ｂの上部を互いの方向に湾曲させていき，２つ折りにされた結合部32Ａ，32Ｂの切込み37を噛み合わせて，互いの切込み37の中に結合部32Ａ，32Ｂ（結合部32Ａ，32Ｂと腕部31Ａ，31Ｂとの境界部分で切込み37が形成されていない部分）を差込んでいく。このとき，結合部32Ａ，32Ｂの突片36も切込み37の中に入り（切込み37内に挟まれ），結合部32Ａ，32Ｂの重ね合わされた第１部分33と第２部分34とが重ね合わされた状態に保持される。これが図６に示す状態である。結合部32Ａ，32Ｂは鏡餅パック11の真上で鏡餅パック11の頂部に近い位置で結合される。
【００４３】
このようにして，鏡餅パック11は，その両側から，第２縁部22Ａ，22Ｂと腕パネル30Ａ，30Ｂ（腕部31Ａ，31Ｂ）とからなる抱持腕40Ａ，40Ｂにより覆われることになる。第１縁部（側壁部）21Ａ，21Ｂの中央部は弾性により斜めに立上った状態に保持される（図７）。第１縁部21Ａ，21Ｂの両端の共通部分（重ね折部）25がそれぞれ第２縁部22Ａ，22Ｂに重なるように折り込まれることにより強く拘束されているので，第１縁部21Ａ，21Ｂは強固となり，鏡餅パック11が第１縁部（側壁部）21Ａ，21Ｂの外方へ脱落するのが防止される。
【００４４】
結合部32Ａ，32Ｂは２つ折りにされているので長穴35はＵ字形に開いている。そこで，水引飾り13の輪ゴム13ａをＵ字形になった長穴35に通し，さらに包装体12の腕パネル30Ａ，30Ｂおよび底部20Ａの外面に沿わせて掛け，水引飾り13を結合部32Ａ，32Ｂの上に位置させれば，図１に示すように，包装体12および鏡餅セット10が完成する。この水引飾り13は包装体12による梱包をより強固にするが，必ずしも必要なものではない。水引飾り13を必ずしも設けなくてもよいし，図11に示すように，鏡餅パック11のくびれの位置に掛けて水引本来の飾りとしてもよい。図11に示す鏡餅セット10はこの状態を飾り付け状態としてもよい。
【００４５】
以上のようにして，簡易な包装体が実現し，簡易包装の鏡餅セットが得られる。従来の包装箱のように嵩張ることがなく，全体的にコンパクトである。
【００４６】
包装体は中央パネルの第１縁部を折り曲げ，第２縁部を腕パネルとともに立上げて腕パネルを湾曲させながらその先端部の結合部を結合させるだけでよいから組立ても簡単である。腕パネルを湾曲させずに直線状に傾斜させるだけでもよいし，腕パネルの途中に折罫をつけて（折罫を必ずしもつけなくてもよい），腕パネルをその中ほどで折り曲げてもよい。
【００４７】
この実施例の包装体では，２つの腕パネルの腕部の幅が先端部にいくにしたがい狭くなり，かつ腕部の両側辺が滑らかな曲線で形成され，さらに腕パネル自体も滑らかに湾曲させられているので，全体として軟らかな雰囲気を醸し出していて意匠性に優れている。また，結合部が２つ折りにされて水平に配置されているから，端正な感じを与え，意匠的にも一層優れたものとなっている。腕パネルの幅を第２縁部付近から狭く（たとえば結合部の幅と同程度）としておいてもよいし，腕パネルの幅を全体的に広くしておいて，結合部付近で狭くしてもよい。幅が広い腕パネルの場合にはそこに絵，模様を充分に描くことができる。
【００４８】
またこの実施例においては，２つの結合部に切込みが入れられ，その切込みによって互いの結合部の一部を挟み込むようにしているから，糊（接着剤）を使用することなく包装体を組立てることができる。もっとも，必要ならば糊を用いて結合させてもよい。
【００４９】
さらにこの実施例においては，結合部の先端部に突片が形成され，結合部が二つ折りにされた上で結合部の一部が上記突片とともに切込みによって挟持されるので，二つ折りにされた結合部が二つ折りにされた状態に保たれる。結合部の二つ折り部分に長穴が形成されているので，この長穴は二つ折りによってＵ字形の切欠きになる。このＵ字形切欠きに水引飾りの輪ゴム，その他の結束紐を掛けることができ，包装を一層強固にできる。
【００５０】
次に，上述した鏡餅セット10から鏡餅パック11を取出してこれを飾り付ける方法について述べる。
【００５１】
図１に示す完成品（製品）の状態から，図６に示すように水引飾り13を取外す。
【００５２】
続いて，図５に示すように抱持腕の結合部32Ａと32Ｂの結合を外し，図４に示すように抱持腕（腕パネル30Ａ，30Ｂと第２縁部22Ａ，22Ｂ）を平坦に開く。
【００５３】
図８に示すように折ってある第１縁部21Ａ，21Ｂも広げて元に戻し，鏡餅パック11を中央パネル20の底部20Ａから取出す。さらに，開かれた包装材12Ａの外面が上になるように引っ繰り返す。四方紅の赤い枠23が表に出る。
【００５４】
図９に示すように，切取り線24（中央パネル20Ａと腕パネル30Ａ，30Ｂとの境界）に沿って包装材12Ａを切断し，腕パネル30Ａ，30Ｂを中央パネル20から切り離す。
【００５５】
中央パネル20は四方紅として用いる。鏡餅パック11のくびれ部分に輪ゴム13ａを掛けて水引飾り13を取付け，この鏡餅パック11を中央パネル20上に載置すれば，図10に示すように，鏡餅飾りが完成する。
【００５６】
腕パネル30Ａ，30Ｂを中央パネル20から切り離した後に，中央パネル20を引っ繰り返して赤い枠23を表にしてもよい。また，鏡餅パック11の上に柑橘類またはその模造品を載せてもよいし，その他の飾りを施すこともできる。
【００５７】
包装材のうち中央パネルを四方紅として用いることができるので，無駄になるのは腕パネルだけである。従来の包装箱に比べれば包装材そのものを構成する紙類の量がきわめて少ない上に，その一部を鏡餅飾りに利用できるのであるから，無駄がきわめて少ない。
【符号の説明】
【００５８】
10  鏡餅セット
11  鏡餅パック（鏡餅）
12  包装体
12Ａ  包装材
20  中央パネル
20Ａ  底部
21Ａ，21Ｂ  第１縁部
22Ａ，22Ｂ  第２縁部
23  赤い枠（四方紅）
24  切取り線
25  共通部分（重ね折部）
30Ａ，30Ｂ  腕パネル
31Ａ，31Ｂ  腕部
32Ａ，32Ｂ  結合部
33  結合部の第１の部分
34  結合部の第２の部分
35  長穴
36  突片
37  切込み
【図１】
2013154931.tif 000003
【図２】
2013154931.tif 000004
【図３】
2013154931.tif 000005
【図４】
2013154931.tif 000006
【図５】
2013154931.tif 000007
【図６】
2013154931.tif 000008
【図７】
2013154931.tif 000009
【図８】
2013154931.tif 000010
【図９】
2013154931.tif 000011
【図１０】
2013154931.tif 000012
【図１１】
2013154931.tif 000013